(57)【特許請求の範囲】
【請求項１】
サーバー機能を有する複数のネットワークカメラを設定する方法であって、
前記複数のネットワークカメラの内の任意の第１番目のネットワークカメラをパーソナルコンピュータに接続して前記第１番目のネットワークカメラと前記パーソナルコンピュータ間にＬＡＮを構築する第１ステップと、
編集モードに設定されている着脱自在な記憶媒体を前記第１番目のネットワークカメラに接続する第２ステップと、
前記パーソナルコンピュータは、前記第１番目のネットワークカメラが提供する、当該ネットワークカメラの設定項目が列挙された設定用ホームページにアクセスし、その後、ユーザーが前記パーソナルコンピュータの入力装置を介して前記設定用ホームページ内の前記設定項目の各々を書き込んでいくことでネットワークカメラ用の設定ファイルのデータを作成し、前記第１番目のネットワークカメラは作成された前記設定ファイルのデータを前記第１番目のネットワークカメラのメモリ内に保存する第３ステップと、
前記第１番目のネットワークカメラへの前記設定ファイルの保存終了後、前記第１番目のネットワークカメラは、前記設定ファイルのデータを有する設定ファイルを前記記憶媒体に保存すると共に、前記記憶媒体内のモードデータを前記編集モードから前記書込みモードに変更する第４ステップと、
ユーザーは前記書込みモードに自動的に変更された前記記憶媒体を前記第１番目のネットワークカメラから挿し抜く第５ステップと、
ユーザーは前記記憶媒体を前記複数のネットワークカメラの内の任意の第２番目のネットワークカメラに接続する第６ステップと、
前記第２番目のネットワークカメラは、挿し込まれた前記記憶媒体の前記モードデータが前記書込みモードにあることを認識した上で、前記記憶媒体に保存されている前記設定ファイルをそのまま自己のメモリ内に書き込む第７ステップと、
ユーザーは前記記憶媒体を前記第２番目のネットワークカメラから挿し抜く第８ステップと、
以後、前記第６、第７及び第８ステップと同様のステップをその他のネットワークカメラに対しても順次に行っていく第９ステップとを備えたことを特徴とする、
複数のネットワークカメラの設定方法。
【請求項２】
サーバー機能を有する複数のネットワークカメラを設定する方法であって、
各ネットワークカメラの設定ファイルを作成可能な専用アプリケーションプログラムを有するパーソナルコンピュータに、編集モードに設定されている着脱自在な記憶媒体を接続する第１ステップと、
ユーザーは前記専用アプリケーションプログラムを用いてネットワークカメラ用の設定ファイルを編集して、編集後の前記設定ファイルを前記パーソナルコンピュータ内に保存する第２ステップと、
前記パーソナルコンピュータは、前記設定ファイルを前記記憶媒体に保存すると共に、前記記憶媒体のモードデータを前記編集モードから前記書込みモードに変更する第３ステップと、
ユーザーは前記書込みモードに自動的に変更された前記記憶媒体を前記パーソナルコンピュータから挿し抜く第４ステップと、
ユーザーは挿し抜いた後の前記記憶媒体を前記複数のネットワークカメラの内の任意の第１番目のネットワークカメラに接続する第５ステップと、
前記第１番目のネットワークカメラは、挿し込まれた前記記憶媒体のモードが前記書込みモードにあることを認識した上で、前記記憶媒体に保存されている前記設定ファイルをそのまま自己のメモリ内に書き込む第６ステップと、
ユーザーは前記記憶媒体を前記第１番目のネットワークカメラから挿し抜く第７ステップと、
ユーザーは、前記記憶媒体を前記複数のネットワークカメラの内の任意の第２番目のネットワークカメラに接続する第８ステップと、
前記第２番目のネットワークカメラは、前記記憶媒体のモードが前記書込みモードにあることを認識した上で、前記記憶媒体に保存されている前記設定ファイルをそのまま自己のメモリ内に書き込む第９ステップと、
ユーザーは前記記憶媒体を前記第２番目のネットワークカメラから挿し抜く第１０ステップと、
以後、前記第８、第９及び第１０ステップと同様のステップをその他のネットワークカメラに対しても順次に行っていく第１１ステップとを備えたことを特徴とする、
複数のネットワークカメラの設定方法。
【請求項３】
ルータの配下に設置されて同一ネットワークに存在する、サーバー機能を有する複数のネットワークカメラを設定する方法であって、
パーソナルコンピュータを前記ルータの接続端子に接続して前記パーソナルコンピュータと前記複数のネットワークカメラの内の任意の第１番目のネットワークカメラとの間にＬＡＮを構築する第１ステップと、
編集モードに設定されている着脱自在な記憶媒体を前記第１番目のネットワークカメラに接続する第２ステップと、
前記パーソナルコンピュータは、前記第１番目のネットワークカメラが提供する、当該ネットワークカメラの設定項目及びモード設定項目が列挙された設定用ホームページにアクセスし、その後、ユーザーが、前記パーソナルコンピュータの入力装置を介して、前記設定用ホームページ内の前記設定項目の各々を書き込んでネットワークカメラ用の設定ファイルのデータを作成し、且つ、前記モード設定項目に、ポート番号が１である旨及び前記記憶媒体をネットワークカメラに挿し込む毎に当該ネットワークカメラは前記ポート番号をシーケンシャルにインクリメントする様に指令するルータモードを書き込むことで、前記設定ファイルのデータ及び前記ルータモードの指定データを前記第１番目のネットワークカメラのメモリ内に保存する第３ステップと、
前記第１番目のネットワークカメラへの前記設定ファイルのデータ及び前記ルータモードの指定データの保存終了後、前記第１番目のネットワークカメラは、前記設定ファイルのデータを有する設定ファイルを前記記憶媒体内に保存し、前記ルータモードの指定データである前記ポート番号を前記記憶媒体内に保存すると共に、前記記憶媒体のモードデータを前記編集モードから前記ルータモードに変更する第４ステップと、
ユーザーは前記モードデータが前記ルータモードに自動的に変更された前記記憶媒体を前記第１番目のネットワークカメラから挿し抜く第５ステップと、
ユーザーは前記記憶媒体を前記複数のネットワークカメラの内の任意の第２番目のネットワークカメラに接続する第６ステップと、
前記第２番目のネットワークカメラは、挿し込まれた前記記憶媒体の前記モードデータが前記ルータモードにあることを認識した上で、前記記憶媒体に保存されている前記設定ファイルをそのまま自己のメモリ内に書き込むと共に、前記記憶媒体内の前記ポート番号をインクリメントしてインクリメント後のポート番号を自己のポート番号として自己のメモリに記憶し且つ前記記憶媒体内の前記ポート番号に上書きする第７ステップと、
前記記憶媒体を前記第２番目のネットワークカメラから挿し抜く第８ステップと、
以後、その他のネットワークカメラに対しても前記第６、第７及び第８ステップと同様のステップを順次に行っていく第９ステップとを備えたことを特徴とする、
複数のネットワークカメラの設定方法。
【請求項４】
請求項３記載の複数のネットワークカメラの設定方法であって、
前記第３ステップに於いて、ユーザーは更に、前記モード設定項目に、前記第１番目のネットワークカメラに対するＩＰアドレスのデータ及び前記記憶媒体をネットワークカメラに挿し込む毎に当該ネットワークカメラは前記ＩＰアドレスのデータをシーケンシャルにインクリメントする様に指令する内容を前記ルータモードの更成る項目として書き込み、
前記第４ステップに於いて、前記第１番目のネットワークカメラは更に、前記第１番目のネットワークカメラに対する前記ＩＰアドレスを前記記憶媒体内に保存し、
前記第７ステップに於いて、前記第２番目のネットワークカメラは更に、前記記憶媒体内の前記第１番目のネットワークカメラに対する前記ＩＰアドレスのデータをインクリメントして、インクリメント後のＩＰアドレスを自己のＩＰアドレスとして自己のメモリ内に記憶すると共に、前記インクリメント後のＩＰアドレスを前記記憶媒体内の前記第１番目のネットワークカメラに対する前記ＩＰアドレスのデータに上書きすることを特徴とする、
複数のネットワークカメラの設定方法。
【請求項５】
サーバー機能を有する複数のネットワークカメラを設定する方法であって、
前記複数のネットワークカメラの内の任意の第１番目のネットワークカメラをパーソナルコンピュータに接続して前記第１番目のネットワークカメラと前記パーソナルコンピュータ間にＬＡＮを構築する第１ステップと、
編集モードに設定されており且つ複数種類の設定ファイルが予め保存されている着脱自在な記憶媒体を前記第１番目のネットワークカメラに接続する第２ステップと、
前記パーソナルコンピュータは、前記第１番目のネットワークカメラが提供する、前記複数種類の設定ファイルが列挙された設定用ホームページにアクセスし、その後、ユーザーが前記パーソナルコンピュータの入力装置を介して前記複数種類の設定ファイル内から各ネットワークカメラ内に書き込むべき１種類の設定ファイルを選択し、前記第１番目のネットワークカメラは被選択設定ファイルを前記第１番目のネットワークカメラのメモリ内に設定ファイルとして保存する第３ステップと、
前記第１番目のネットワークカメラへの前記被選択設定ファイルの保存終了後、前記第１番目のネットワークカメラは、前記記憶媒体内の前記被選択設定ファイルのモードデータを前記編集モードから前記書込みモードに変更する第４ステップと、
ユーザーは前記被選択設定ファイルのモードデータが前記書込みモードに自動的に変更された前記記憶媒体を前記第１番目のネットワークカメラから挿し抜く第５ステップと、
ユーザーは前記記憶媒体を前記複数のネットワークカメラの内の任意の第２番目のネットワークカメラに接続する第６ステップと、
前記第２番目のネットワークカメラは、挿し込まれた前記記憶媒体内の前記被選択設定ファイルの前記モードデータが前記書込みモードにあることを認識した上で、前記記憶媒体に保存されている前記被選択設定ファイルをそのまま自己のメモリ内に設定ファイルとして書き込む第７ステップと、
ユーザーは前記記憶媒体を前記第２番目のネットワークカメラから挿し抜く第８ステップと、
以後、前記第６、第７及び第８ステップと同様のステップをその他のネットワークカメラに対しても順次に行っていく第９ステップとを備えたことを特徴とする、
複数のネットワークカメラの設定方法。
【請求項６】
請求項１，３，４，５の何れかに記載の複数のネットワークカメラの設定方法であって、
前記第３ステップに於いて、前記設定用ホームページ内には書き込み台数の項目が更に在り、ユーザーは更に前記パーソナルコンピュータの前記入力装置を介して前記設定用ホームページ内の前記書き込み台数の項目に書き込み台数のデータを書き込み、前記第１番目のネットワークカメラは前記書き込み台数のデータを前記設定ファイルのデータと共に前記第１番目のネットワークカメラの前記メモリ内に保存し、
前記第４ステップに於いて、前記第１番目のネットワークカメラは、更に前記書き込み台数のデータをデクリメントした上で、デクリメント後の書き込み台数のデータを前記記憶媒体に保存し、
前記第７ステップに於いて、前記第２番目のネットワークカメラは、前記デクリメント後の書き込み台数のデータを更にデクリメントした上で、更なるデクリメント後の書き込み台数のデータを前記記憶媒体に保存することを特徴とする、
複数のネットワークカメラの設定方法。
【請求項７】
請求項２記載の複数のネットワークカメラの設定方法であって、
前記第２ステップに於いて、ユーザーは、前記設定ファイルの編集と共に、更に書き込み台数のデータを指定して、前記書き込み台数のデータをも前記パーソナルコンピュータ内に保存し、
前記第３ステップに於いて、前記パーソナルコンピュータは前記書き込み台数のデータをも前記記憶媒体に保存し、
前記第６ステップに於いて、前記第１番目のネットワークカメラは、更に前記記憶媒体に保存されている前記書き込み台数のデータをデクリメントした上で、デクリメント後の書き込み台数のデータを前記記憶媒体に保存し直し、
前記第９ステップに於いて、前記第２番目のネットワークカメラは、更に前記記憶媒体に保存されている前記デクリメント後の書き込み台数のデータを更にデクリメントした上で、更にデクリメントされた書き込み台数のデータを前記記憶媒体に保存し直すことを特徴とする、
複数のネットワークカメラの設定方法。
【発明の詳細な説明】
【技術分野】
【０００１】
この発明は、同一ネットワークに複数台のネットワークカメラが存在しない場合又は存在する場合に於いて、複数のネットワークカメラの設定の簡素化を図る技術に関する。
【背景技術】
【０００２】
ユーザーは、複数台のネットワークカメラに対して、一台毎に、パスワードやユーザーＩＤ等の設定項目を設定している。又、ルータの配下に複数台のネットワークカメラが配置されている場合には、ユーザーは、一台毎に、設定項目の設定と併せて、ポート番号を指定している。
【０００３】
【特許文献１】特開２００３−２３４４５号公報
【発明の開示】
【発明が解決しようとする課題】
【０００４】
複数台のネットワークカメラの各々に同一内容の設定をすること自体は面倒な事であり、そのため、慣れによりユーザーサイドでオペレーションミスを起す可能性が高くなると言う問題点がある。
【０００５】
又、ルータの配下に複数台のネットワークカメラを設置する場合の様に、同一ネットワークに複数台のネットワークカメラが存在する場合には、ユーザーサイドで各ネットワークカメラのポート番号やＩＰアドレス（ルータのＤＨＣＰ機能を使わない場合あるいはルータがＤＨＣＰ機能を有しない場合）を固定で指定していく作業は複雑で面倒である。このため、ポート番号等の指定の簡素化が求められている。しかも、ユーザーサイドで各ネットワークカメラのポート番号を一台ずつ固定で指定していく場合に、ポート番号を重複して指定しまうおそれがあり、それを回避するためには比較的高度な設定が要求される。
【０００６】
又、様々な内容の設定を各ネットワークカメラに行いたくても、専門知識が要る部分も多く、その事が大きな壁となっている。
【０００７】
この発明は、上記の問題点に鑑み成されたものであり、同一ネットワークに複数台のネットワークカメラが存在しない場合又は存在する場合に於いて、複数のネットワークカメラの設定の簡素化を図ることを、その主目的とする。
【課題を解決するための手段】
【０００８】
本発明の主題に係る複数のネットワークカメラの設定方法は、サーバー機能を有する複数のネットワークカメラを設定する方法であって、前記複数のネットワークカメラの内の任意の第１番目のネットワークカメラをパーソナルコンピュータに接続して前記第１番目のネットワークカメラと前記パーソナルコンピュータ間にＬＡＮを構築する第１ステップと、編集モードに設定されている着脱自在な記憶媒体を前記第１番目のネットワークカメラに接続する第２ステップと、前記パーソナルコンピュータは、前記第１番目のネットワークカメラが提供する、当該ネットワークカメラの設定項目が列挙された設定用ホームページにアクセスし、その後、ユーザーが前記パーソナルコンピュータの入力装置を介して前記設定用ホームページ内の前記設定項目の各々を書き込んでいくことでネットワークカメラ用の設定ファイルのデータを作成し、前記第１番目のネットワークカメラは作成された前記設定ファイルのデータを前記第１番目のネットワークカメラのメモリ内に保存する第３ステップと、前記第１番目のネットワークカメラへの前記設定ファイルの保存終了後、前記第１番目のネットワークカメラは、前記設定ファイルのデータを有する設定ファイルを前記記憶媒体に保存すると共に、前記記憶媒体内のモードデータを前記編集モードから前記書込みモードに変更する第４ステップと、ユーザーは前記書込みモードに自動的に変更された前記記憶媒体を前記第１番目のネットワークカメラから挿し抜く第５ステップと、ユーザーは前記記憶媒体を前記複数のネットワークカメラの内の任意の第２番目のネットワークカメラに接続する第６ステップと、前記第２番目のネットワークカメラは、挿し込まれた前記記憶媒体の前記モードデータが前記書込みモードにあることを認識した上で、前記記憶媒体に保存されている前記設定ファイルをそのまま自己のメモリ内に書き込む第７ステップと、ユーザーは前記記憶媒体を前記第２番目のネットワークカメラから挿し抜く第８ステップと、以後、前記第６、第７及び第８ステップと同様のステップをその他のネットワークカメラに対しても順次に行っていく第９ステップとを備えたことを特徴とする。
【０００９】
以下、この発明の主題の様々な具体化を、添付図面を基に、その効果・利点と共に、詳述する。
【発明の効果】
【００１０】
請求項１に記載の発明によれば、第２番目以降の各ネットワークカメラに対して一つの記憶媒体を接続していくだけで、第１番目のネットワークカメラに設定された内容と同一内容のオリジナルな設定ファイルを各ネットワークカメラに対して自動的に設定することが出来、設定時のオペレーションミスの発生を確実に防止することが出来る。しかも、各ネットワークカメラへの設定ファイルの書き込みに対して、ユーザーが特別な専門知識を持っていることは不要である。
【００１１】
請求項２に記載の発明によれば、複数台のネットワークカメラが配置された現場以外の、例えば事務所に於いてパーソナルコンピュータの専用アプリを用いてオリジナルなネットワークカメラ用設定ファイルを作成することが出来、従って、複数台のネットワークカメラが配置された現場にパーソナルコンピュータを持ち込む必要性を無くして、オリジナルな設定ファイルを各ネットワークカメラに対して自動的に設定することが出来、その結果、設定時のオペレーションミスの発生を確実に防止出来る。本発明に於いても、オリジナルな設定ファイルの各ネットワークカメラへの設定に際して、ユーザーは特別な専門知識を必要とはしない。
【００１２】
請求項３に記載の発明によれば、ルータによって同一ネットワーク上に複数台のネットワークカメラが配置されている場合においても、第１番目のネットワークカメラ上で作成されたオリジナルな設定ファイルを以降の各ネットワークカメラに対して自動的に設定することが出来ると共に、ルータモードによって各ネットワークカメラのポート番号をもオリジナルな設定ファイルの自動書き込み時に併せて自動的に個別に指定することが出来る（各ネットワークカメラのポート番号の固定指定化）。従って、各ポート番号の固定化に際して、ポート番号を重複して指定しまうと言う様な事態を確実に回避出来る。本発明においても、設定時のオペレーションミスの発生を確実に防止出来ると共に、ユーザーに特別な専門知識を要求することは無い。
【００１３】
請求項４に記載の発明によれば、ルータによって同一ネットワーク上に複数台のネットワークカメラが配置されている場合において、ルータにＤＨＣＰ機能が無い場合や当該機能を使用したくない場合において、即ち、各ネットワークカメラのＩＰアドレスを固定で指定したい場合においても、各ネットワークカメラのＩＰアドレスをも、オリジナルな設定ファイルの自動書き込み時に併せて、自動的に個別に指定することが出来る。従って、ネットワークカメラ一台毎に、パーソナルコンピュータを当該ネットワークカメラに接続してＩＰアドレスを指定する様な作業が不要となる。
【００１４】
請求項５に記載の発明によれば、各ネットワークカメラに自動的に設定していくオリジナルな設定ファイルを複数種類のものの中から適宜に選択することが出来る。
【００１５】
請求項６及び７に記載の各発明によれば、作成されたオリジナルな設定ファイルを書き込み可能なネットワークカメラの台数を限定することが出来るので、指定された書き込み台数を超えた以降のネットワークカメラに本記憶媒体を接続してもオリジナルな設定ファイルを書き込むことが出来ないので、他人にオリジナルな設定ファイルを書き込まれて読み取られることが無くなり、オリジナルな設定ファイルの機密性ないしは安全性を確保することが出来る。又、書き込み台数を限定することにより、オリジナルな設定ファイルが書き込まれているネットワークカメラが何れであるかを確認することが出来、オリジナルな設定ファイルが書き込まれているネットワークカメラのホームページにアクセスすることで、設定ファイルの内容を事後的に確認することも可能となる。
【発明を実施するための最良の形態】
【００１６】
（実施の形態１）
本実施の形態は、同一ネットワーク上に複数台のネットワークカメラが存在しない場合に於いて、ネットワークカメラ用の設定ファイルをネットワークカメラ上でオリジナルに作成する場合である。
【００１７】
本実施の形態の特徴点は、ネットワークカメラの付属品であり、最初に編集モードに設定されているＵＳＢメモリを複数台の内の一つのネットワークカメラのＵＳＢポートに挿し込んだ上で、当該ネットワークカメラ上で作成されたネットワークカメラ用の設定ファイルをＵＳＢメモリに保存すると共に、ＵＳＢメモリのモードデータを編集モードから書き込みモードに自動的に変更した後、ＵＳＢメモリを当該ネットワークカメラから挿し抜き、その後、別のネットワークカメラに当該ＵＳＢメモリを挿し込むと、自動的にＵＳＢメモリ内に保存されている設定ファイルが当該ネットワークカメラに書き込まれる点にある。以下、図面を参照しつつ、本実施の形態に於ける複数のネットワークカメラの設定方法について詳述する。
【００１８】
図１は、ネットワークカメラ１の構成を模式的に示すブロック図である。ネットワークカメラ１は、大別して、固体撮像素子とそのＡ／Ｄ変換器、及び、サーバー２から成る。又、サーバー２は、大要、ＣＰＵ、メモリ、外部のインターネット網やパーソナルコンピュータ（ＰＣ）と接続される通信部及び付属のＵＳＢメモリ４が挿し込まれるＵＳＢポート３を有している。
【００１９】
図２は、本実施の形態に於ける複数のネットワークカメラの設定方法を模式的に示す図である。図２中、図１と同一の符号は同一のものを示す。ここでは、同一のネットワーク上には無い総数ｍ台（ｍ＞１）のネットワークカメラ１が存在するものとしている。以下、図１及び図２を参照して、設定手順について記載する。
【００２０】
先ず、ユーザーは、ｍ台のネットワークカメラの内の任意の第１番目のネットワークカメラ１−１の通信部をパーソナルコンピュータ５のＬＡＮ接続端子に接続して、第１番目のネットワークカメラ１−１とパーソナルコンピュータ５間にＬＡＮを構築する。
【００２１】
次に、ユーザーは、初期のモードデータが「編集モード」に設定されているＵＳＢメモリ４を、第１番目のネットワークカメラ１−１のＵＳＢポート３に挿し込む。この接続により、第１番目のネットワークカメラ１−１のＣＰＵは、ＵＳＢメモリ４のモードが編集モードにあることを認識する。
【００２２】
次に、ユーザーは、パーソナルコンピュータ５が有するブラウザ（ホームページ閲覧ソフト）を立ち上げる。その結果、パーソナルコンピュータ５は、第１番目のネットワークカメラ１−１のサーバー２が提供する、ネットワークカメラの設定項目（例えば、パスワードやユーザーＩＤやアカウント等々）及び書き込み台数の項目が列挙された設定用ホームページにアクセスする。その後、ユーザーは、パーソナルコンピュータ５の入力装置（キーボードやマウス等）を用いて、当該設定用ホームページ内の設定項目の各々及び書き込み台数の項目に適切な値（データ）を次々に書き込んでいき、この作業によって、ネットワークカメラ用の設定ファイルのデータ及び書き込み台数のデータを編集・作成し、その上で、当該設定用ホームページ内にある「メモリに保存する」の項目をクリックする。その結果、第１番目のネットワークカメラ１−１は、作成された設定ファイルのデータ及び書き込み台数のデータを、第１番目のネットワークカメラ１−１内のメモリに保存する。ここでは、ユーザーは、書き込み台数のデータとして、ｎ台（１＜ｎ≦ｍ）を指定したものとする。
【００２３】
第１番目のネットワークカメラ１−１のメモリ内への設定ファイル及び書き込み台数のデータの保存終了後、第１番目のネットワークカメラ１−１のＣＰＵは、メモリ内にある設定ファイルのデータを有する設定ファイルを、ＵＳＢポート３に挿し込まれたＵＳＢメモリ４に保存すると共に、ＵＳＢメモリ４内のモードデータを編集モードから「書き込みモード」に変更する。更に、第１番目のネットワークカメラ１−１のＣＰＵは、メモリ内にある書き込み台数のデータｎをデクリメント（デフォルト−１）した上で、デクリメント後の書き込み台数のデータｎ−１をＵＳＢメモリ４内に保存する。その結果、ＵＳＢメモリ４内には、図３に例示する様に、オリジナルな設定ファイル、書き込みモードに自動的に変更されたモードデータ及び書き込み台数のデータ（ここではｎ−１）が、保存されることなる。
【００２４】
次に、ユーザーは、書込みモードに自動的に変更されたＵＳＢメモリ４を第１番目のネットワークカメラ１−１から挿し抜き、続いて、挿し抜いたＵＳＢメモリ４を、複数のネットワークカメラ１の内の任意の第２番目のネットワークカメラ１−２のＵＳＢポート３に挿し込む。このＵＳＢメモリ４の接続により、第２番目のネットワークカメラ１−２のＣＰＵは、ＵＳＢメモリ４のモードデータが書き込みモードにあることを認識する。
【００２５】
書き込みモードの認識後、第２番目のネットワークカメラ１−２のＣＰＵは、挿し込まれたＵＳＢメモリ４内に保存されているオリジナルな設定ファイルを、そのまま自己の設定ファイルとして自己のメモリ内に書き込む。更に、第２番目のネットワークカメラ１−２のＣＰＵは、ＵＳＢメモリ４内に保存されているデクリメント後の書き込み台数のデータｎ−１を更にデクリメントした上で、更なるデクリメント後の書き込み台数のデータｎ−２をＵＳＢメモリ４内の書き込み台数データに上書きする。
【００２６】
オリジナルな設定ファイルの自動書き込み及び書き込み台数データのデクリメント処理終了後、ユーザーは、ＵＳＢメモリ４を第２番目のネットワークカメラ１−２のＵＳＢポート３から挿し抜く。
【００２７】
以後、上記した、ＵＳＢメモリ４のネットワークカメラへの挿し込み、ＵＳＢメモリ４内のオリジナルな設定ファイルの自動書き込み及び書き込み台数データのデクリメント処理・デクリメント後の書き込み台数データのＵＳＢメモリ４への上書き処理、並びに、ＵＳＢメモリ４のネットワークカメラからの挿し抜きの各ステップが、同様に、その他のネットワークカメラ１−３〜１−ｎまで、順次に行われる。
【００２８】
従って、ユーザーが第ｎ番目のネットワークカメラ１−ｎのＵＳＢポート３にＵＳＢメモリ４を挿し込んだときには、第ｎ番目のネットワークカメラ１−ｎのＣＰＵは、ＵＳＢメモリ４内のオリジナルな設定ファイルを自己のメモリ内に自己の設定ファイルとしてそのまま書き込むと共に、ＵＳＢメモリ４から読み出した書き込み台数データ１に対してデクリメント処理を行い、その結果得られる書き込み台数データ０をＵＳＢメモリ４内の書き込み台数データに上書きする。その結果、第ｎ番目のネットワークカメラ１−ｎのＵＳＢポート３から挿し抜いたＵＳＢメモリ４を用いて、それ以降の各ネットワークカメラ１−ｎ＋１〜１−ｍに対して、ＵＳＢメモリ４内のオリジナルな設定ファイルを書き込む作業は出来なくなる。
【００２９】
この様な書き込み台数を予め指定して、オリジナルな設定ファイルの自動書き込み可能なネットワークカメラの台数を限定することにより、第１番目のネットワークカメラ１−１上で作成されたオリジナルな設定ファイルの機密性ないしは安全性を確保することが出来る。例えば、オリジナルな設定ファイルが書き込まれた上記のＵＳＢメモリ４が他人に取得された場合であっても、当該他人はそのＵＳＢメモリ４を用いてその中に保存されているオリジナルな設定ファイルを自己が保有するネットワークカメラに書き込むことが一切出来無い。又、総数ｍ台のネットワークカメラ中で、ユーザーは、オリジナルな設定ファイルを書き込みたくないネットワークカメラを選定することが出来る。この様に、オリジナルな設定ファイルの機密性ないしは安全性を確保することが出来る。又、書き込み台数を限定することにより、オリジナルな設定ファイルが書き込まれているネットワークカメラが何れであるかを、ユーザーは、後ほど確認することが出来る。例えば、ユーザーは、オリジナルな設定ファイルが書き込まれているネットワークカメラのホームページにＰＣを用いてアクセスすることで、オリジナルな設定ファイルの内容を事後的に確認することも可能となる。
【００３０】
尚、既述した書き込み台数の指定処理は任意の処理であって、書き込み台数を指定しなくても良い。その場合には、各ネットワークカメラ１に於いて、既述したデクリメント処理は行われない。第２番目以降のネットワークカメラ１は、挿し込まれたＵＳＢメモリ４のモードデータが書込みモードにあることを認識した上で、ＵＳＢメモリ４に保存されているオリジナルな設定ファイルをそのまま自己のメモリ内に書き込むのみである。但し、この場合に於いても、他人のネットワークカメラにあるいはユーザーが望まないネットワークカメラにＵＳＢメモリ４を用いてオリジナルな設定ファイルを書き込ませたくない場合には、例えば、ＵＳＢメモリ４のモードデータを「書き込みモード」から「参照モード」に変更することで、書き込むことは出来ないが、オリジナルな設定ファイルの内容だけは読み取れるだけにすることが考えられる。
【００３１】
以上に記載した本実施の形態の方法によれば、同一ネットワークには存在しない複数台のネットワークカメラを、ＵＳＢメモリ４を用いて、簡単に設定することが出来、設定時のオペレーションミスの発生を確実に防止することが出来る。しかも、各ネットワークカメラへの設定ファイルの書き込みに対して、ユーザーが特別な専門知識を持っていることは不要である。
【００３２】
（実施の形態２）
本実施の形態も、同一ネットワーク上に複数台のネットワークカメラが存在しない場合に関しており、本実施の形態の特徴点は、ネットワークカメラが存在しない環境下で、設定ファイルを作成出来る専用アプリケーションプログラム（以下、単に専用アプリと言う。）を有するパーソナルコンピュータ（ＰＣ）を用いてオリジナルな設定ファイルを作成し、作成されたオリジナルな設定ファイルをＵＳＢメモリに保存しておき、その後、複数台のネットワークカメラが存在する環境下に於いて、オリジナルな設定ファイルが保存された上記ＵＳＢメモリを各ネットワークカメラに順次に接続していくことで、各ネットワークカメラが上記ＵＳＢメモリ内に保存されたオリジナルな設定ファイルを書き込み可能とした点にある。以下、図面を参照して、本実施の形態に係る複数台のネットワークカメラの設定方法を詳述する。
【００３３】
図４は、本実施の形態に係る複数台のネットワークカメラの設定方法を模式的に示す図である。ＰＣ６は、ネットワークカメラが存在しない場所に、例えば事務所内に配置されたパーソナルコンピュータであり、各ネットワークカメラの設定ファイルをオリジナルに作成可能な専用アプリを有する。
【００３４】
先ず、パーソナルコンピュータ６のＵＳＢポート（図示せず）に、初期時に編集モードに設定されているＵＳＢメモリ４を挿し込む。
【００３５】
次に、ユーザーは、パーソナルコンピュータ６の専用アプリを用いてネットワークカメラ用の設定ファイルを編集して、編集後のオリジナルな設定ファイルをパーソナルコンピュータ６内に保存する。更に、ユーザーは、書き込み台数のデータｎ（１＜ｎ≦ｍ）を指定して、当該書き込み台数のデータｎをもパーソナルコンピュータ６内に保存する。
【００３６】
次に、パーソナルコンピュータ６は、上記オリジナルな設定ファイルをＵＳＢメモリ４内に保存すると共に、ＵＳＢメモリ４内のモードデータを編集モードから書込みモードに変更する。そして、パーソナルコンピュータ６は、上記書き込み台数のデータｎをもＵＳＢメモリ４内に保存する（図３参照）。
【００３７】
その後、ユーザーは、書込みモードに自動的に変更されたＵＳＢメモリ４を、パーソナルコンピュータのＵＳＢポートから挿し抜く。以上の処理により、ネットワークカメラが存在しない環境下での手順は終了する。従って、以降の手順は、複数台のネットワークカメラが存在する環境下での手順となる。
【００３８】
先ず、ユーザーは、挿し抜いた後のＵＳＢメモリ４を、複数のネットワークカメラ１が存在する環境下に持って行き、複数のネットワークカメラ１の内の任意の第１番目のネットワークカメラ１−１に接続する。
【００３９】
その結果、第１番目のネットワークカメラ１−１は、挿し込まれたＵＳＢメモリ４のモードが書込みモードにあることを認識した上で、ＵＳＢメモリ４に保存されているオリジナルな設定ファイルをそのまま自己のメモリ内に書き込む。更に、第１番目のネットワークカメラ１−１は、ＵＳＢメモリ４に保存されている書き込み台数のデータｎをデクリメントした上で、デクリメント後の書き込み台数のデータｎ−１をＵＳＢメモリ４に保存し直す。
【００４０】
その後、ユーザーは、ＵＳＢメモリ４を第１番目のネットワークカメラ１−１から挿し抜く。
【００４１】
次に、ユーザーは、挿し抜いたＵＳＢメモリ４を複数のネットワークカメラの内の任意の第２番目のネットワークカメラ１−２に接続する。
【００４２】
その結果、第２番目のネットワークカメラ１−２は、ＵＳＢメモリ４のモードが書込みモードにあることを認識した上で、ＵＳＢメモリ４に保存されている設定ファイルをそのまま自己のメモリ内に書き込むと共に、第２番目のネットワークカメラ１−２は、ＵＳＢメモリ４に保存されているデクリメント後の書き込み台数のデータｎ−１を更にデクリメントした上で、更にデクリメントされた書き込み台数のデータｎ−２をＵＳＢメモリ４に保存し直す。
【００４３】
その後、ユーザーは、ＵＳＢメモリ４を第２番目のネットワークカメラ１―２から挿し抜く。
【００４４】
以後、同様のステップが残りのその他のネットワークカメラ１−３〜１−ｎに対しても順次に行われる。指定された書き込み台数ｎから定まる最終番目のネットワークカメラ１−ｎは、当該ネットワークカメラ１−ｎに挿し込まれたＵＳＢメモリ４からオリジナルな設定ファイルを自己のメモリ内に保存すると共に、書き込み台数のデータ１をデクリメントしてデクリメント後の書き込み台数のデータ０をＵＳＢメモリ４に書き込む。その結果、以後のネットワークカメラ１−ｎ＋１〜１−ｍは、ＵＳＢメモリ４に保存されているオリジナルな設定ファイルを自己のメモリ内に書き込むことが出来なくなり、実施の形態１で既述した通り、オリジナルな設定ファイルの機密性が確保される。
【００４５】
尚、本実施の形態に於いても、書き込み台数の指定は任意である。
【００４６】
以上に記載した本実施の形態によれば、複数台のネットワークカメラが配置された場所以外に於いてパーソナルコンピュータの専用アプリを用いてオリジナルなネットワークカメラ用設定ファイルを作成することが出来、従って、複数台のネットワークカメラが配置された環境下にパーソナルコンピュータを持ち込む必要性を無くして、オリジナルな設定ファイルを各ネットワークカメラに対して自動的に簡単に設定することが可能となる。その結果、設定時のオペレーションミスの発生を確実に防止出来る。本実施の形態に於いても、オリジナルな設定ファイルの各ネットワークカメラへの設定に際して、ユーザーは特別な専門知識を必要とはしない。
【００４７】
（実施の形態３）
本実施の形態は、ルータの配下に設置されて同一ネットワークに存在する複数のネットワークカメラを簡単に設定可能とする方法に関する。以下、図面を参照して、本実施の形態に係る設定方法を詳述する。
【００４８】
図５は、本実施の形態に係る複数のネットワークカメラの設定方法を模式的に示すブロック図である。図５に於いて、ｍ（ｍ＞１）台のネットワークカメラ１の各々が、ルータ８のＬＡＮの接続端子に接続されている。又、ルータ８は、インターネット網に繋がったモデム９に接続されている。この様に、本実施の形態では、ｍ台のネットワークカメラ１は同一ネットワークに存在している。以下では、ルータ８のＤＨＣＰ機能（ＩＰアドレス自動振り分け機能）を使わない場合又はルータ８がＤＨＣＰ機能を有さない場合について記載する。
【００４９】
先ず、パーソナルコンピュータ（ＰＣ）７をルータ８の接続端子に接続して、パーソナルコンピュータ７と複数のネットワークカメラの内の任意の第１番目のネットワークカメラ１−１との間にＬＡＮを構築する。
【００５０】
その上で、ユーザーは、初期時には編集モードに設定されているＵＳＢメモリ４を、第１番目のネットワークカメラ１−１のＵＳＢポート３に挿し込む。
【００５１】
次に、ユーザーによる操作によって、パーソナルコンピュータ７は、第１番目のネットワークカメラ１−１自身が提供する、当該ネットワークカメラの設定項目、書き込み台数の項目及びモード設定項目の各々が列挙された設定用ホームページにアクセスする。その後、ユーザーは、パーソナルコンピュータ７の入力装置を介して、上記設定用ホームページ内の上記設定項目の各々を書き込んでネットワークカメラ用の設定ファイルのデータを作成し、更に、上記書き込み台数の項目に書き込み台数のデータ（図５の例ではデータｎ）を書き込み、且つ、上記モード設定項目に、第１番目のネットワークカメラ１−１用の固定ＩＰアドレスの値、第１番目のネットワークカメラ１−１用のポート番号が１である旨及びＵＳＢメモリ４をネットワークカメラに挿し込む毎に当該ネットワークカメラは固定ＩＰアドレス及びポート番号の各々をシーケンシャルにインクリメント（デフォルト＋１）する様に指令する「ルータモード」を書き込み、上記設定用ホームページ内の「メモリに保存する」の項目をクリックする。これにより、第１番目のネットワークカメラ１−１は、設定ファイルのデータ、書き込み台数のデータｎ及びルータモードの上記指定データ（第１番目のネットワークカメラ１−１用の固定ＩＰアドレスの値及び第１番目のネットワークカメラ１−１用のポート番号１）を、自身のメモリ内に保存する。
【００５２】
第１番目のネットワークカメラ１−１への設定ファイルのデータ等の保存終了後、第１番目のネットワークカメラ１−１は、上記設定ファイルのデータを有する設定ファイルをＵＳＢメモリ４内に保存し、且つ、書き込み台数のデータｎをデクリメントした上で（デフォルト−１）、デクリメント後の書き込み台数のデータｎ−１をＵＳＢメモリ４内に保存する。更に、第１番目のネットワークカメラ１−１は、第１番目のネットワークカメラ１−１に振り当てられた固定ＩＰアドレスの値及びポート番号（１）の各々をＵＳＢメモリ４内に保存すると共に、ＵＳＢメモリ４のモードデータを編集モードからルータモードに変更する。
【００５３】
その後、ユーザーは、モードデータがルータモードに自動的に変更されたＵＳＢメモリ４を、第１番目のネットワークカメラ１−１から挿し抜き、次に、挿し抜いたＵＳＢメモリ４を複数のネットワークカメラ１の内の任意の第２番目のネットワークカメラ１−２のＵＳＢポートに挿し込む。
【００５４】
その結果、第２番目のネットワークカメラ１−２は、挿し込まれたＵＳＢメモリ４のモードデータがルータモードにあることを認識した上で、ＵＳＢメモリ４内に保存されているオリジナルな設定ファイルをそのまま自己の設定ファイルとして自己のメモリ内に書き込む。しかも、第２番目のネットワークカメラ１−２は、ＵＳＢメモリ４内に保存されている第１番目のネットワークカメラ１−１用の固定ＩＰアドレスの値及びポート番号（１）の各々をインクリメント（＋１）し、インクリメント後の固定ＩＰアドレスの値及びポート番号（２）を自己の固定ＩＰアドレスの値及びポート番号として自己のメモリ内に記憶すると共に、インクリメント後の固定ＩＰアドレスの値及びポート番号（２）のそれぞれを、ＵＳＢメモリ４内に保存されている第１番目のネットワークカメラ１−１用の固定ＩＰアドレスの値及びポート番号（１）に対して上書きする。これにより、ＵＳＢメモリ４内に保存されている固定ＩＰアドレスの値及びポート番号は、それぞれ、第２番目のネットワークカメラ１−１用の固定ＩＰアドレスの値及びポート番号（２）となる。更に、第２番目のネットワークカメラ１−２は、ＵＳＢメモリ４内に保存されているデクリメント後の書き込み台数のデータｎ−１を更にデクリメントした上で、更なるデクリメント後の書き込み台数のデータｎ−２を、ＵＳＢメモリ４内の書き込み台数のデータｎ−１に対して上書き保存する。
【００５５】
その後、ユーザーは、ＵＳＢメモリ４を第２番目のネットワークカメラ１−２のＵＳＢポートから挿し抜く。
【００５６】
以後、その他の残りの各ネットワークカメラ１−３〜１−ｎに対しても、同様のステップが順次に行われていく。
【００５７】
尚、実施の形態１でも既述した通り、書き込み台数の指定は任意の処理である。
【００５８】
又、各ネットワークカメラ１のＩＰアドレスをルータ８が有するＤＨＣＰ機能によって振り分ける場合には、ポート番号の指定のみがルータモードの指定データとして必要になるので、既述した処理の中で、第１番目のネットワークカメラ１−１の固定ＩＰアドレスの値の指定及びその後のシーケンシャルな固定ＩＰアドレスのインクリメント処理は不要となる。
【００５９】
本実施の形態によれば、ルータによって同一ネットワーク上に複数台のネットワークカメラ１−１〜１−ｍが配置されている場合においても、第１番目のネットワークカメラ１−１上で作成されたオリジナルな設定ファイルを以降の各ネットワークカメラ１に対して自動的に簡単に設定することが出来る。特に、ルータモードによって各ネットワークカメラのポート番号及びＩＰアドレス（ＤＨＣＰ機能を使用しない場合あるいはルータがＤＨＣＰ機能を有しない場合に有効）をも、オリジナルな設定ファイルの自動書き込み時に併せて自動的に個別に指定することが出来るので、固定ＩＰアドレスの振り分け時のミスの発生を確実に防止出来、ネットワークカメラ一台毎にＰＣを接続して固定ＩＰアドレスを指定する様な面倒な作業が解消され、しかも、各ネットワークカメラのポート番号を重複して指定しまうと言う様な事態を確実に回避出来る。本実施の形態においても、設定時のオペレーションミスの発生を確実に防止出来ると共に、ユーザーに特別な専門知識を要求することは無い。
【００６０】
（実施の形態４）
本実施の形態の特徴点は、ＵＳＢメモリ内に予め保存されている数種類の設定ファイルの中から一つを編集モード時に選択して、その被選択設定ファイルを書き込みモードに於いて各ネットワークカメラに自動的に書き込んで設定していく点にある。以下、援用する図２及び図６に基づき、その手順を詳述する。
【００６１】
先ず、複数のネットワークカメラ１の内の任意の第１番目のネットワークカメラ１−１をパーソナルコンピュータ５に接続して、第１番目のネットワークカメラ１−１とパーソナルコンピュータ５間にＬＡＮを構築する。
【００６２】
次に、着脱自在な記憶媒体として、複数種類の設定ファイルが予め保存されているＵＳＢメモリ４を、第１番目のネットワークカメラ１−１のＵＳＢポート３に挿し込む。ここで、本実施の形態に係るＵＳＢメモリ４内には、複数種類の設定ファイルが予め保存されている。例えば、図６に示す様に、ＵＳＢメモリ４内には、３種類のセキュリティレベル（高、中、低）に対応したオリジナルな設定ファイルＡ，Ｂ，Ｃが、予め保存されている。そして、各設定ファイルＡ，Ｂ，Ｃのモードデータが保存されているが、この３つのモードデータは固定（編集不可）ではなく、編集もできるように、編集モードになっている。尚、図６の例では、セキュリティレベルの種類に応じて複数種類の設定ファイルが予め作成されているが、設定ファイルの種類がセキュリティレベルによって限定される訳ではなく、その他の要素に基づいて複数種類の設定ファイルを予め作成しても良い。例えば、画質の優先順位や輝度のレベルに応じて複数種類の設定ファイルを予め作成しても良い。
【００６３】
次に、ユーザーの操作に応じて（ブラウザの起動等）、パーソナルコンピュータ５は、第１番目のネットワークカメラ１−１自身が提供する、挿し込まれたＵＳＢメモリ４内に保存されている複数種類の設定ファイル及び書き込み台数の項目が列挙された設定用ホームページにアクセスする。その後、ユーザーは、パーソナルコンピュータ５の入力装置を用いて、複数種類の設定ファイル内から各ネットワークカメラ内に書き込むべき１種類の設定ファイルを選択すると共に、上記書き込み台数の項目にユーザーが希望する書き込み台数のデータ（ここでは書き込み台数のデータはｎ台とする）を書き込み、その上で、設定用ホームページ内にある「メモリに保存する」と言う項目をクリックする。これらの操作により、第１番目のネットワークカメラ１−１は、選択されたオリジナルな被選択設定ファイルを、第１番目のネットワークカメラ１−１のメモリ内に、自己の設定ファイルとして保存すると共に、書き込み台数のデータｎをも第１番目のネットワークカメラ１−１のメモリ内に保存する。
【００６４】
その上で、第１番目のネットワークカメラ１−１は、挿し込まれたＵＳＢメモリ４内の上記被選択設定ファイルに対応するモードデータのみを編集モードから書込みモードに変更する。例えば、図６に関して、ユーザーによって設定ファイルＡが選択された場合には、そのモードデータＡは編集モードから書込みモードに自動的に変更される。更に、第１番目のネットワークカメラ１−１は、自己のメモリ内に保存されている書き込み台数のデータｎをデクリメントし、デクリメント後の書き込み台数のデータｎ−１を、ＵＳＢメモリ４内に保存する（図６参照）。
【００６５】
その後、ユーザーは、被選択設定ファイルのモードデータが書込みモードに自動的に変更されたＵＳＢメモリ４を第１番目のネットワークカメラ１−１から挿し抜き、ＵＳＢメモリ４を複数のネットワークカメラ１の内の任意の第２番目のネットワークカメラ１−２のＵＳＢポート３に挿し込む。
【００６６】
第２番目のネットワークカメラ１−２は、挿し込まれたＵＳＢメモリ４内の被選択設定ファイルのモードデータが書込みモードにあることを認識した上で、ＵＳＢメモリ４内に保存されているオリジナルな被選択設定ファイルをそのまま自己のメモリ内に自己の設定ファイルとして書き込む。更に、第２番目のネットワークカメラ１−２は、ＵＳＢメモリ４内に保存されているデクリメント後の書き込み台数のデータｎ−１を更にデクリメントし、更なるデクリメント後の書き込み台数のデータｎ−２をＵＳＢメモリ４内に上書き保存する。
【００６７】
その後、ユーザーは、ＵＳＢメモリ４を第２番目のネットワークカメラ１−２から挿し抜く。
【００６８】
以後、同様のステップが、被選択設定ファイルを書き込んだネットワークカメラの数が書き込み台数に到達するまで、その他のネットワークカメラ１−３〜１−ｎに対しても順次に行われる。従って、第ｎ番目のネットワークカメラ１−ｎから挿し抜かれたＵＳＢメモリ４内の書き込み台数データは０となり、それ以降の他のネットワークカメラ１−ｎ＋１〜１−ｍにオリジナルな被選択設定ファイルを書き込むことは出来なくなる。
【００６９】
尚、本実施の形態に於いても、書き込み台数の指定は任意の処理である。
【００７０】
以上に記載した本実施の形態によれば、各ネットワークカメラに自動的に設定していくオリジナルな設定ファイルを複数種類のものの中から適宜に選択することが出来る。又、本実施の形態に於いても、設定時のオペレーションミスの発生を確実に防止出来ると共に、ユーザーに特別な専門知識を要求することは無い。
【００７１】
（付記）
以上の記載では、着脱自在な記憶媒体として、ＵＳＢメモリを用いる実施の各形態を示したが、本発明はこれに限定されるものではなく、着脱自在な記憶媒体としては、汎用品（例えばコンパクトフラッシュ（登録商標）の様なメモリーカード）を用いても良い。
【００７２】
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【図面の簡単な説明】
【００７３】
【図１】ネットワークカメラの構成を模式的に示すブロック図である。
【図２】実施の形態１に於ける複数台のネットワークカメラの設定手順を模式的に示す図である。
【図３】ＵＳＢメモリに保存されるデータ群を模式的に示す図である。
【図４】実施の形態２に於ける複数台のネットワークカメラの設定手順を模式的に示す図である。
【図５】実施の形態３に於ける複数台のネットワークカメラの設定手順を模式的に示す図である。
【図６】実施の形態４に於ける、ＵＳＢメモリ内のデータ群を模式的に示す図である。
【符号の説明】
【００７４】
１  ネットワークカメラ
２  サーバー
３  ＵＳＢポート
４  ＵＳＢメモリ（着脱自在な記憶媒体）
５，６，７  パーソナルコンピュータ（ＰＣ）
８  ルータ
９  モデム
【図１】
0004753421.tif 000002
【図２】
0004753421.tif 000003
【図３】
0004753421.tif 000004
【図４】
0004753421.tif 000005
【図５】
0004753421.tif 000006
【図６】
0004753421.tif 000007